(57)【特許請求の範囲】
【請求項１】
１つのチップジャック（１）が、１つの電気コネクタを構成するために１つの案内スリーブの一方の端部内へ差込み可能であり、かつ１つの差込みリング（４）によって当該端部にロック可能であり、複数の補完的な接続要素を担持する１つの補完部材が、この案内スリーブの他方の端部面に配置されている、複数の電気接続要素を含む１つのハウジング（２）と、このチップジャック（１）をこの電気コネクタに敷設されたこの案内スリーブに沿って固定するためのこのハウジング（２）によって担持されているこの差込みリング（４）とを有する電気コネクタ用のロック可能なチップジャックにおいて、
この差込みリング (４) は、このハウジング（２）にこれらの接続要素を装着するための装着位置とこの装着位置から離れた差込み位置との間でこのハウジング（２）に対して長手方向に摺動可能であり、この場合、この差込みリング（４）のケーブルアウトレット側の縁部が、このハウジング（２）に接続要素を装着するこのチップジャック（１）の装着位置でこのハウジング（２）のケーブルアウトレット側の縁部（８）の平面上に配置されているか、又はこのハウジング（２）のケーブルアウトレット側の縁部（８）から差込み方向に摺動しようとする平面上に配置されていて、この場合、この差込みリング (４) の差込み側の縁部が、この差込みリング (４) の差込み位置でこのハウジング (２) のケーブルアウトレット側の終端部領域内に存在し、かつこの差込みリング（４) は、このハウジング（２）をこの案内スリーブ内へ挿入するためのこの位置でこのハウジング (２) に敷設された挿入ストッパ（１１）で支持されていることを特徴とするロック可能なチップジャック。
【請求項２】
差込みリング（４）は、ハウジング（２）の外面と連動する係止部（１３，１７）によってその装着位置に保持されていることを特徴とする請求項１に記載のチップジャック。
【請求項３】
係止は、差込みリング（４）に敷設されて、挿入ストッパ（１１）の外側に敷設された係合凹部（１３）に係入する係合ビード（１７）によってなされていることを特徴とする請求項２に記載のチップジャック。
【請求項４】
ハウジング（２）から突出している複数の挿入ノーズ（１１）が、挿入ストッパとして放射状に設けられていて、差込みリング（４）の差込み位置で、この差込みリング（４）に敷設されたフランジ部分（１４）が、このハウジング（２）のケーブルアウトレット方向を指向しているこれらの挿入ノーズ（１１）の面（１２）で支持されていることを特徴とする請求項１〜３のいずれか１項に記載のチップジャック。
【請求項５】
複数の挿入ノーズは、それぞれ差込みリング内に配置され、２つの案内ウェブ（１５，１５′）から形成された内側の案内部（１６）内に係合されているので、この差込みリング（４）は、ハウジング（４）に対して回転しないように配置されていて、この差込みリング（４）がその差込み位置ではハウジング（２）に対して回転可能であるように、この案内部（１６）がこのハウジング（２）のこの挿入ストッパ（１１）前方で終端していることを特徴とする請求項４に記載のチップジャック。
【請求項６】
ハウジング（２）は、そのケーブルアウトレット側の端部で限定フランジ（７）によって限定されていることを特徴とする請求項１〜５のいずれか１項に記載のチップジャック。
【請求項７】
ケーブルアウトレット方向を指向している弾性的に形成された複数のロック足（１０）が、ハウジング（２）に敷設されていて、差込みリング（４）のその装着位置への逆滑りが、これらのロック足（１０）によってこの差込みリング（４）の差込み位置で阻止されていて、この場合、この差込み位置では、この差込みリング（４）のフランジ部分（１４）が、その差込み側でこれらのロック足（１０）つまり挿入ストッパ（１１）によって保持され、かつケーブルアウトレット側で限定フランジ（７）によって保持されていることを特徴とする請求項６に記載のチップジャック。
【発明の詳細な説明】
【０００１】
本発明は、複数の電気接続要素を含む１つのハウジングと、コネクタ部材を電気コネクタに敷設された案内スリーブに沿って固定するための１つの差込みリング（バイオネットリング）とを有する電気コネクタ用のロック可能なコネクタ部材に関する。このコネクタ部材は、この電気コネクタを構成するために案内スリーブの一方の端部内へ差込み可能である。そして、複数の補完的な接続要素を担持する１つの補完部材が、この案内スリーブの他方の端部面に配置されている。
【０００２】
このようなロック可能なコネクタ部材は、例えば車両の駆動制御系に接続する電気コネクタを構成するために必要になる。このような構成では、使用されるチップジャックがロック可能なコネクタ部材として構成されている。このような駆動制御系の使用では、配線盤がこの駆動ハウジングの内部に配置されている。一般に、この配線盤は、この駆動制御系に対して設けられた電気的な若しくは機械的な若しくは油圧的な又は電気的でかつ機械的でかつ油圧的な制御手段と、これらの制御手段に機能的に敷設された制御電子機器とを担持する。この配線盤に接続するため、複数の電気接続ピンを有する１つの雄型端子が、この配線盤に敷設されている。この雄型端子つまりこの雄型端子の複数の雄コネクタと、複数の電気的な雌コネクタを有する１つのチップジャックとが、１つの案内スリーブを使用することによって電気的に接続される。この案内スリーブは、駆動ハウジングの側壁の取付け開口部を通じて嵌合し、その側壁と共に端部領域内部で雄型端子に接続されている。そして、チップジャックは、外側に開口しているこの案内スリーブ内へ差込み可能である。この場合、雌コネクタを担持する１つのコネクタハウジングと１つの差込みリングをチップジャックに敷設することが提唱されている。この差込みリングは、チップジャックを案内スリーブに固定するために形成されている。これらの電気的な雄コネクタは、駆動ハウジングの内部で配線盤上に配置されているので、コネクタハウジングが所望の電気接続を実現するため案内スリーブ内へ十分に深く差込み可能であるように、このコネクタハウジングを十分に長く見積もる必要がある。差込みリングは、このコネクタハウジングのケーブルアウトレット側の縁部面に接して配置されている。このようなロック可能なチップジャックは、ドイツの実用新案登録第 297 21 908.1 号から公知である。
【０００３】
雄コネクタとコネクタハウジング内に有する雌コネクタとを電気接続するため、コネクタハウジングつまりチップジャック全体が、それ相応に長く形成されている。チップジャックと案内スリーブとで実現されるこの差込みロック部分は、材料の節約のためにコネクタハウジングのケーブルアウトレット側の縁部をリング状に形成しているだけなので、差込みリングがこのリング状の縁部面に接して回転可能に保持されている。コネクタハウジングの必要な長さ、及び、このコネクタハウジングのケーブルアウトレット側のリング状の構造が、コネクタハウジングに雌コネクタを自動機械によって装着することを不可能にする。このような装着は、コネクタハウジングのケーブルアウトレット側から実施される。自動機械のグリッパによって搬送された挿入すべき雌コネクタが、コネクタハウジングのコネクタ収容部分のその所定の位置に沿って挿入され得るように、このコネクタハウジングが所定の長さを越えない場合にだけ、自動機械の装着は可能である。それに加えて、コネクタハウジングのケーブルアウトレット側の装着面が平坦であり、かつ、例えば差込みリングを固定するために設けられたリング状の端部のように張り出している縁部やウェブがこの装着面から突出していない場合にだけ、自動機械の装着は実施される。したがって、既に公知のチップジャックつまりこのチップジャックのコネクタハウジングは、手動でしか雌コネクタを装着できない。
【０００４】
本発明の課題は、この説明した従来の技術から出発して、所定の差込み深さで補完部材に接続するのに適しているだけではなくて、コネクタ部材内へ挿入すべき電気接続要素を同様に自動機械によって装着可能である、電気コネクタ用のロック可能なコネクタ部材を提供することにある。
【０００５】
この課題は、本発明により、差込みリング４が、このハウジング２にこれらの接続要素を装着するための装着位置とこの装着位置から離れた差込み位置との間でこのハウジング２に対して長手方向に摺動可能であり、この場合、この差込みリング４のケーブルアウトレット側の縁部が、このハウジング２に接続要素を装着するこのチップジャック１の装着位置でこのハウジング２のケーブルアウトレット側の縁部８の平面上に配置されているか、又はこのハウジング２のケーブルアウトレット側の縁部８から差込み方向に摺動しようとする平面上に配置されていて、この場合、この差込みリング４の差込み側の縁部が、この差込みリング４の差込み位置でこのハウジング２のケーブルアウトレット側の終端部領域内に存在し、かつこの差込みリング４は、このハウジング２をこの案内スリーブ内へ挿入するためのこの位置でこのハウジング２に敷設された挿入ストッパ１１で支持されていることによって解決される。
【０００６】
本発明のコネクタ部材、例えばチップジャックは、差込みリングがコネクタハウジングに対して長手方向に摺動可能に配置されている点に特徴がある。この場合、このコネクタハウジングのケーブルアウトレット側の縁部自体がこのチップジャックの外側面を形成するように、この差込みリングは、その一方の位置  −  装着位置  −  でこのコネクタハウジングに対してこのように配置されている。この縁部は、コネクタハウジングに電気的な雌コネクタを自動機械で装着する装着面として適する。このコネクタハウジングに対するこの差込みリングの長手方向摺動性のために、この差込みリングは、この装着位置から離れたロック位置又は差込み位置へ摺動可能である。このロック位置又は差込み位置は、差込みリングの差込み側つまり前方の縁部がコネクタハウジングの後方端部の領域内に存在する点に特徴がある。この場合、この差込みリングが、この位置でこのコネクタハウジングに敷設された挿入ストッパでずれないように支持されている。したがって、このコネクタハウジングは、この差込みリングに対してこの差込みリングから差込み方向に入れ子式に引抜き可能である。このコネクタハウジングは、この入れ子式の可動性の行程として電気的な雌コネクタを収容するのに十分な長さしか必要としない。この場合、必要な差込み深さを確保するためには、確かにコネクタハウジングも使用するが、差込み位置でコネクタハウジングのケーブルアウトレット側の縁部面に接して配置された差込みリングも必ず使用する。このようなチップジャックは、そのチップジャックが１つの雄型端子に敷設された複数の雄コネクタに電気接続するために所定の差込み深さを満たさなければならない全ての電気コネクタに適している。特に、このようなチップジャックは、側壁特に駆動ハウジングの側壁の下方に配置された配線盤に電気接続する電気コネクタに対して使用するのに適している。
【０００７】
ハウジングに対して装着位置にある差込みリングをこの装着位置で係止するように固定すると効果的である。何故なら、このとき、ハウジングを自動機械で装着するときの望まない差込みリングのずれが回避されているからである。好ましくは、このような係止は、多数の幅広の係合ビードが差込みリングに敷設されていることによって実現されている。これらの係合ビードは、ハウジングに敷設された複数の係合凹部内へ係入する。これらの係合凹部は、挿入ストッパの外側に存在する。
【０００８】
一実施の形態では、ハウジングから突出している複数の挿入ノーズが、挿入ストッパとして設けられている。差込みリングの差込み位置では、この差込みリングに敷設（形成）されたフランジ部が、ハウジングのケーブルアウトレット方向に指向しているこれらの挿入ノーズ面で支持されている。これらの挿入ノーズを差込みリングの内側に敷設された案内溝へ合目的的に案内することが好ましい。この場合、これらの案内ノーズが差込みリングの差込み位置でこの案内部を通り抜けるように、この案内部は形成されている。その結果、この差込みリングは、その差込み位置だけでハウジングに対して回転可能である。差込みリングの差込み位置を限定するため、限定フランジがハウジングの端部に敷設されている。差込みリングの差込み位置からの逆滑りを防ぐため、ハウジングのケーブルアウトレット方向に指向している弾性的に形成された複数のロック足が一実施の形態のこのハウジングに敷設されている。差込みリングがその装着位置からその差込み位置へ移動したときは、これらのロック足の端部が、この差込みリングの挿入フランジを支持する。この差込みフランジをその差込み位置からその装着位置へ再び摺動させる必要はない。何故なら、この装着位置は、もっぱらハウジングに電気的な接続要素を装着するときに必要になるからである。
【０００９】
本発明の利点は、チップジャックの例で示されている；同様に、本発明のコネクタ部材は、雄型端子としても形成することができる。
【００１０】
本発明のその他の利点と改良点は、残りの従属請求項と以下の好適な実施の形態の説明に記載されている。
【００１１】
図１中に示されたチップジャック１は、主に１つのコネクタハウジング２及び１つの差込みリング４から構成されている。挿入された電気的な複数の雌コネクタをロックするため、１枚のロック板３がこのコネクタハウジング２内へ差込み可能である。このコネクタハウジング２は、装着されていないので、電気的な雌コネクタを有さないで示されている。その下方には、１本の気密リング５が、このコネクタハウジング２の差込み側部分に配置されている。この気密リング５は、符号６で示された溝に係入されて、このコネクタハウジング２を詳しく示さなかった１つの案内スリーブに対して密閉する。
【００１２】
コネクタハウジング２は、主にシリンダ状部分から構成され、１つの限定フランジ７によってケーブルアウトレットをその側面で限定する。複数のコネクタ収容部９が、このコネクタハウジング２のケーブルアウトレット側の面８内に形成されている。この面８は、これらのコネクタ収容部９に複数の電気的な雌コネクタとその背面に配置された複数のケーブルとを自動機械で装着するための装着面を示す。限定フランジ７方向に指向して配置されている複数の弾性的なロック足１０が、この限定フランジ７に対して下方でかつ間隔をあけてこのコネクタハウジング２面に沿って形成されている。これらのロック足１０は、それらの配置された部分の領域内では湾曲しやすい。このような３つのロック足１０が、コネクタハウジング２の広い範囲に配置されるように設けられている。このコネクタハウジング２の被覆面から突出している複数の挿入ノーズ１１が、２つのロック足１０の間ごとに放射状に設けられている。限定フランジ７とコネクタハウジング２のケーブルアウトレット側の縁部方向に指向しているこれらの挿入ノーズ１１の面が、平坦な加圧面１２として形成されている。１つの係合凹部１３が、このような１つの挿入ノーズ１１の放射状に外側に指向している面に形成されている。
【００１３】
差込みリング４は、シリンダ状に形成されている。この場合、１つの挿入フランジ１４が、その前方の差込み側の縁部の領域内に配置されている。挿入フランジ１４の領域内の差込みリング４の内のりの開口幅は、限定フランジ７の下面が挿入フランジ１４の上面に当接するまで、シリンダ状のコネクタハウジング２が差込み可能である範囲内に寸法決めされている。挿入ノーズ１１を補完する位置には、差込みリング４が、その内側で２つのウェブ１５，１５′によって形成された複数の案内部１６を有する。この場合、これらのウェブ１５，１５′の間隔が、互いに１つの挿入ノーズ１１を収容するように定められている。内側に突出している１つの係合ビード１７が、１つの案内部１６の上部に存在する。差込みリング４は、コネクタハウジング２に対するその装着位置でこの係合ビード１７を介して係合凹部１３内へ係入することによって固定されている。限定フランジ７が挿入フランジ１４の上面で回転可能である程度に、十分な間隔がウェブ１５，１５′の下側の縁と挿入フランジ１４の上面との間に確保されているように、案内部１６つまり両ウェブ１５，１５′の軸線方向の長さが定められている。案内部１６内へ案内された挿入ノーズ１の加圧面１２が挿入フランジ１４の下面の下方まで到達できるように、この挿入フランジ１４は案内部１６の下側の領域内で停止されている。
【００１４】
この配置の説明から、差込みリング４が長手方向への移動を阻止することによってその装着位置で固定されていて、かつ、回転運動に対しては挿入ノーズ１１を案内部１６内へ収容することによって阻止されていることが明らかである。−  この差込みリング４はコネクタハウジング２に対してその装着位置に存在し、この場合、この差込みリング４のケーブルアウトレット側の縁部が面８の平面上に存在する  −  チップジャック１のこの配置は、図２中に示されている。この図から、平坦な装着面が形成されていることが明らかである。その結果、このコネクタハウジング２は、自動機械によって挿入すべき電気的な雌コネクタを装着可能である。
【００１５】
装着位置に存在する差込みリング４の図３中に示された断面から、係合ビード１７と挿入ノーズ１１の係合凹部１３とが互いに係合して係止されていることが確認可能になる。コネクタハウジング２に設けられた電気的な雌コネクタを自動的に装着した後、この装着されたコネクタハウジング２は、図３の矢印によって示されるように、差込みリング４の挿入フランジ１４がコネクタハウジング２の限定フランジ７に当接するまで入れ子式に外側に押し出される。この位置  −  差込み位置  −  は、図３中に対応する断面で図４中に示されている。コネクタハウジング２を差込みリング４から引き出す場合は、ロック足１０が、挿入フランジ１４をも通り抜け、このロック足１０は、この挿入フランジ１４を通過した直後に再び外側に開き、これによって差込みリング４の図４中に示された位置からの逆滑りを阻止する。差込みリング４が図４中に示された位置に移動されると、この差込みリング４はコネクタハウジング２に対して回転する。この場合、案内部１６の領域内で停止されている挿入フランジ１４が、挿入方向に沿ってその下側に存在する挿入ノーズ１１上に到達される。次いで、チップジャック１は、詳しく示さなかった案内スリーブの他方の端部に存在する電気的な雄コネクタに接続するためこの案内スリーブ内へ挿入され得る。この挿入過程では、必要な挿入圧力が、挿入ノーズ１１の上面で支持される挿入フランジ１４によってコネクタハウジング２に加わる。チップジャック１をロックするため、案内スリーブの自由端部が、差込みリング４のロック溝１８内へ係入する。その結果、この差込みリング４は、この案内スリーブに接してロック可能である。この場合、同時に、コネクタハウジング２がこの案内スリーブ内へさらに挿入されるように、この目的のために必要なこのロック溝が形成されていると合目的的である。
【図面の簡単な説明】
【図１】  電気コネクタ用のチップジャックを分解して示した概略図である。
【図２】  差込みリングがその装着位置にある図１のチップジャックの斜視図である。
【図３】  直線Ａ- Ｂに沿った図２のチップジャックの断面図である。
【図４】  差込みリングがその差込み位置に存在するときの図３中に示された断面図に対応する図２のチップジャックの断面図である。
【符号の説明】
１    チップジャック
２    コネクタハウジング
３    ロック板
４    差込みリング
５    気密リング
６    キー溝
７    限定フランジ
８    ケーブルアウトレット側の面
９    コネクタ収容部
１０    ロック足
１１    挿入ノーズ
１２    加圧面
１３    係合凹部
１４    挿入フランジ
１５    ウェブ
１５′  ウェブ
１６    案内部
１７    係合ビード
１８    ロック溝
【図１】
0004458672.tif 000002
【図２】
0004458672.tif 000003
【図３】
0004458672.tif 000004
【図４】
0004458672.tif 000005